【手続補正書】
【提出日】平成16年5月26日(2004.5.26)
【手続補正１】
【補正対象書類名】明細書
【補正対象項目名】全文
【補正方法】変更
【補正の内容】
【書類名】      明細書
【発明の名称】  サッシの窓枠
【特許請求の範囲】
【請求項１】  窓枠が金属枠とその金属枠の屋内側露出部分を覆う樹脂枠とからなり、障子框が金属框とその金属框の屋内側露出部分を覆う樹脂框とからなる断熱複合半外付けサッシにおいて、
上下横枠、左右縦枠の各樹脂枠を構成する枠構成部の屋内側端部に、窓面と平行に延びる第一の帯状壁と、その第一の帯状壁から屋内方向に直角に延びる第二の帯状壁とからなる断面Ｌ字形の屈曲壁をそれぞれ一体的に備え、
窓開口部の四周に化粧枠体を取付けた窓に対し窓枠を半外付け状に組み立てた際に、前記各樹脂枠の枠構成部は、金属枠の屋内側露出部分を覆うように四周に連続してなり、かつ、この枠構成部に一体的に設けた屈曲壁の第一の帯状壁は、前記窓面と平行な共通の垂直面において中空矩形板状に連続し、前記各枠の屈曲壁の第二の帯状壁は、屋内方向に突出して前記化粧枠体に一体的に面接する矩形筒状に連続してなることを特徴とする断熱複合半外付けサッシの窓枠。
【発明の詳細な説明】
【０００１】
【発明の属する技術分野】
本発明は、半外付けサッシの窓枠に関するものであり、とくに、窓枠の屋内側に取付けられる化粧枠体（又は回り縁や窓木枠など、以下、代表的に化粧枠体という）と窓枠との位置関係の改良に係るものである。
【０００２】
【従来の技術】
図５は、従来の半外付けタイプの断熱複合サッシの縦断面図、図６は同じく横断面図である。従来の窓枠ＷＦの上、下枠Ｈ，Ｓ及び左右の縦枠Ｊｌ，Ｊｒは、いずれも屋内側端部に垂直面に沿って水平又は垂直に延びる帯状の屋内側壁ＨＷ，ＳＷ，ＪｌＷ，ＪｒＷを有し、各枠を矩形に連結して窓枠を組み立てた状態では、前記屋内側壁ＨＷ，ＳＷ，ＪｌＷ，ＪｒＷが垂直面に平行な中空矩形板状に連続する。半外付けタイプのサッシ窓枠には、通常、窓枠よりも屋内側に、化粧枠体ＤＦが取付けられるが、化粧枠体は、その屋外側面を窓枠ＷＦの各枠の屋内側壁ＨＷ，ＳＷ，ＪｌＷ，ＪｒＷの屋内側面に当接した状態で固定される。
【０００３】
【発明が解決しようとする課題】
従来は、上述のように、窓枠の屋内側壁に化粧枠体の屋外側面を単に当接して取付けるため、化粧枠体の屋外側面と窓枠の屋内側面との間に、すなわち、在室者の視線を受けやすい場所に、窓枠や化粧枠体の製造公差に基づく隙間が生じることが多く、窓枠の内観体裁が低いという印象を与えた。化粧枠体の屋外側面と下枠の屋内側面との間の隙間は、在室者の注目を最も受けやすい場所であるとともに、拭き掃除などの際に、その隙間にゴミや汚水などが侵入しやすい。このため、図５に例示するように、隙間塞ぎ部材Ｐが予め下枠Ｓの屋内側壁ＳＷに固着され、その隙間塞ぎ部材に化粧枠体を突き当てて位置決めをしながら固定することが行われている。窓枠ＷＦが金属枠と樹脂枠とからなる場合は、窓枠の樹脂枠の屋内側壁の屋内側面と化粧枠体の屋外側面との間に、樹脂製の隙間塞ぎ部材を取付けている。図５、６は窓用半外付けタイプの断熱複合サッシの場合の隙間塞ぎ部材Ｐを、図７は、テラス用半外付けタイプの断熱複合サッシの場合の隙間塞ぎ部材Ｐａの例を、図８は、外付けタイプの断熱複合サッシの場合の隙間塞ぎ部材Ｐｐの例を、それぞれ示している。図８において、ｈは鴨居、ｓは敷居であり、上記窓木枠に相当する。
【０００４】
上述のように、従来は、隙間塞ぎ部材を用いないときは、化粧枠体の窓枠に対する位置決めが容易でなく、また、化粧部材と窓枠の間に屋内に露見される隙間が発生し、隙間塞ぎ部材を用いる場合でも、その窓枠の各枠の屋内側壁と塞ぎ部材は、成形精度の限界に基づく歪みを有するため、その間に隙間が発生して、窓周囲の内観が損なわれることは避けることができなかった。
【０００５】
本発明は、上記の点に鑑みてなされたものであり、その課題は、化粧枠体の取付け時の位置決めが容易にでき、かつ、化粧枠体と窓枠との間に、屋内側に露出される見苦しい隙間が発生しないようにした窓枠を提供することにある。
【０００６】
【課題を解決するための手段】
上記の課題を解決するため、本発明は、窓枠が金属枠とその金属枠の屋内側露出部分を覆う樹脂枠とからなり、障子框が金属框とその金属框の屋内側露出部分を覆う樹脂框とからなる断熱複合半外付けサッシにおいて、
上下横枠、左右縦枠の各樹脂枠を構成する枠構成部の屋内側端部に、窓面と平行に延びる第一の帯状壁と、その第一の帯状壁から屋内方向に直角に延びる第二の帯状壁とからなる断面Ｌ字形の屈曲壁をそれぞれ一体的に備え、
窓開口部の四周に化粧枠体を取付けた窓に対し窓枠を半外付け状に組み立てた際に、前記各樹脂枠の枠構成部は、金属枠の屋内側露出部分を覆うように四周に連続してなり、かつ、この枠構成部に一体的に設けた屈曲壁の第一の帯状壁は、前記窓面と平行な共通の垂直面において中空矩形板状に連続し、前記各枠の屈曲壁の第二の帯状壁は、屋内方向に突出して前記化粧枠体に一体的に面接する矩形筒状に連続してなることを特徴としている。
上記構成により、建物に取付けられた窓枠の屋内側に化粧枠体などの窓開口の屋内側内周面仕上げ材をを取付ける際は、その屋内側内周面仕上げ材を各樹脂枠の屈曲壁の外周面に当接することにより、屋内側内周面仕上げ材を容易にかつ正確に位置決めすることができ、しかも、屈曲壁は屋内側内周面仕上げ材と窓枠との間に隙間を生じさせないので、窓枠の屋内側周辺の内観体裁が向上する。
【０００７】
次に、本発明の実施の形態を、図示の実施例について、図１ないし図４の図面を参照しながら説明する。図１は本発明によるサッシ窓枠の屋内側から見た正面図、図２は同窓枠を用いた断熱複合サッシを取付けた窓の縦断面図、図３は同じく横断面図、図４は同サッシに化粧枠体を取付けた状態における破断斜視図である。
【０００８】
図示の窓枠は、断熱複合サッシ用であるため、上枠Ｈは、図２に示すように、耐候性及び機械的強度に優れている金属、例えば、アルミニウム等で成形された金属枠Ｈｍと、断熱性と意匠性に優れた、例えば、塩化ビニルやアクリル等の樹脂で成形され、金属枠Ｈｍの屋内側に露出される部分を覆う樹脂枠Ｈｐとからなっている。
【０００９】
上枠の金属枠Ｈｍは、上枠を上下２か所で建物躯体（まぐさ等１０１）に固定するための取付縁１，２を有し、また、外障子Ｄｏの上框ｈを案内するレールｒｏの屋外側部分を構成する垂下縁３を有している。樹脂枠Ｈｐは、二重壁構造に形成された上壁４と、外障子Ｄｏ用上レールｒｏの屋内側部分を構成する垂下縁５と、外レールｒｏと同様の断面形状を有する二重壁構造の内レールｒｉとを有する枠構成部からなる。金属枠Ｈｍの垂下縁３と樹脂枠Ｈｐの垂下縁５とで、内レールｒｉと等しい二重壁構造の上枠Ｈの外レールｒｏを構成している。
そして、樹脂枠Ｈｐを構成する枠構成部の屋内側端部に、屈曲壁ｈｗが一体に形成されている。屈曲壁ｈｗは、樹脂枠の屋内側端部から垂下し、水平方向に延びる第一の帯状壁ｈｗ１と、その第一の帯状壁の下端部又はその付近から水平面に沿って屋内方向に突出する第二の帯状壁ｈｗ２とを有して、断面ほぼＬ字形である。
【００１０】
下枠Ｓは、金属枠Ｓｍと、その金属枠の屋内側に配置された樹脂枠Ｓｐとからなっている。金属枠Ｓｍは、下枠を上下２か所で建物躯体（窓台等１０２）に固定するための取付縁６，７を有し、内外の障子Ｄｉ，Ｄｏの下框ｓを案内する内外のレールｒｉ，ｒｏを有している。下枠Ｓは、窓枠自体の荷重及び障子の全荷重を支持するので、窓枠の中では最も大きな強度が要求されるので、金属枠Ｓｍは、従来の下枠の金属枠とほぼ同様の形状を備えており、屋内側端部に屈曲壁ｓｍｗが一体に形成されている。屈曲壁ｓｍｗは、金属枠Ｓｍの屋内側端部から立上がり、水平方向に延びる第一の帯状壁ｓｍｗ１と、その第一の帯状壁の上端部から水平面に沿って屋内方向に突出する第二の帯状壁ｓｍｗ２とを有して、断面ほぼ倒立Ｌ字形である。第一の帯状壁ｓｍｗ１は、通称、雨返し壁に相当する。
【００１１】
樹脂枠Ｓｐは、金属枠Ｓｍの第一の帯状壁ｓｍｗ１と内レールｒｉとの間の溝８に嵌合される嵌合部９と、この枠構成部たる嵌合部９の屋内側端部に一体に設けられた屈曲壁ｓｐｗとを一体に有している。屈曲壁ｓｐｗは、嵌合部９から立上がり、水平方向に延びる第一の帯状壁ｓｐｗ１と、その第一の帯状壁の上端部から屋内方向に突出する第二の帯状壁ｓｐｗ２とを有して、縦断面Ｌ字形に形成してあり、金属枠の屈曲壁ｓｍｗの屋内露出部分を覆っている。樹脂枠Ｓｐは、金属枠の第一の帯状壁の下方部分の屋内側からビス１０を嵌合部９にねじ込むことにより、結合されている。
【００１２】
窓枠の左右の縦枠Ｊｌ，Ｊｒは、それぞれ金属枠Ｊｍと、金属枠の屋内側に配置された樹脂枠Ｊｐとからなっている。金属枠Ｊｍは、屋内外方向に延びる垂直壁１１を有するとともに、その垂直壁の内外方向中間部の背面において窓面と平行な垂直面に沿って延び、建物躯体（柱１０３等）に固定するための取付縁１２を有するほか、垂直壁１１の屋内側端部に、屈曲壁ｊｍｗが一体に形成されている。屈曲壁ｊｍｗは、窓面と平行な面、すなわち、垂直壁１１に直角な面に沿って窓中央方向に延びる第一の帯状壁ｊｍｗ１と、その帯状壁の内側端部から窓面に直角な垂直面に沿って屋内方向に突出する第二の帯状壁ｊｍｗ２とを有して、横断面Ｌ字形に形成されている。
そして、両縦枠Ｊ1 ，Ｊ2 の樹脂枠Ｊｐは、金属枠Ｊｍの屈曲壁よりも屋外側において屋内側に露出される部分を覆う被覆部１３と、この枠構成部たる被覆部１３の屋内側端部に形成された屈曲壁ｊｐｗとを一体に有している。屈曲壁ｊｐｗは、金属壁の屈曲壁ｊｍｗと同様に横断面Ｌ字形に形成されて、第一の帯状壁ｊｐｗ１と第二の帯状壁ｊｐｗ２とを有し、被覆部１３を金属枠の内側面に嵌合当接して、ビス１４により金属枠の垂直壁１１に固定されているとともに、屈曲壁ｊｐｗが金属枠の屈曲壁ｊｍｗの内側面を覆っている。
【００１３】
上記各枠は、従来と同様に、上下の横枠Ｈ，Ｓの長手方向端部を左右の縦枠Ｊｌ，Ｊｒの上下端部の対向面に突き当て、各縦枠の外側から貫通させたビスを各横枠の金属枠に設けてあるビスホール１５，１６にねじ込むことにより、矩形に組み付けられた窓枠が完成する。
この場合、図４に示されているように、各枠の屈曲壁ｈｗ，ｓｍｗ，ｊｍｗの第一の帯状壁ｈｗ１，ｓｍｗ１，ｊｍｗ１は、共通の垂直面上で中空矩形板状に連続している。また、第二の帯状壁ｈｗ２，ｓｍｗ２，ｊｍｗ２は、周壁が窓面に直角な筒状に連続している。また、前記屈曲壁ｈｗ，ｓｍｗ，ｊｍｗを各々一体的に設けた各樹脂枠の枠構成部が、前記第二の帯状壁ｈｗ２，ｓｍｗ２，ｊｍｗ２と同様に、金属枠の屋内側露出部分を覆うよう四周筒状をなすように連続している。
【００１４】
従って、このような窓枠を取付けた後に、窓の屋内側に化粧枠体ＤＦを取付ける場合は、次のように行われる。すなわち、化粧枠体の各樹脂枠は、その屋外側面を第一の帯状壁ｈｗ１，ｓｍｗ１，ｊｍｗ１の屋内側面に当接するとともに、その化粧枠体の屋外側端部の内周面を第二の帯状壁ｈｗ２，ｓｍｗ２，ｊｍｗ２の外周面に当接する。これにより、化粧枠体の各枠は、その端部を第一の帯状壁及び第二の帯状壁に当接することにより、屋外方向にも窓中心方向にも容易にかつ正確に位置決めされる。しかも、化粧枠体の屋外側面と屈曲壁との間の隙間が窓内観に露見されることがないので、窓内観は従来に比し、格段に向上する。
【００１５】
一方、窓枠の上下枠及び左右縦枠の樹脂枠に設けられる屈曲壁は、少なくとも屋内方向に延出する帯状壁からなるものであっても良く、この屈曲壁の外周面に化粧枠体又は天板などの窓開口の屋内側内周面仕上げ材を当接して取付けることにより、窓枠の屋内側端部と屋内側内周面仕上げ材との間に在室者の目に付くような隙間が生じることが有効確実に防止される。
【００１６】
【発明の効果】
上述のように本発明によれば、半外付けサッシ窓枠の樹脂枠を構成する枠構成部の各屋内側端部に屋内方向に延出する断面Ｌ字形の屈曲壁をそれぞれ一体的に設けたので、化粧枠体を取付けた窓に対し窓枠を半外付け状に組み立てた際に、化粧枠体の窓開口の屋内側内周面仕上げ材の位置決めが容易かつ正確に行うことができ、しかも、各樹脂枠の枠構成部は、金属枠の屋内側露出部分を的確に覆うように四周に連続することとなり、加えて樹脂枠を構成する枠構成部と屋内側内周面仕上げ材との間から、見苦しい隙間が屋内側に露出されることがないので、窓の内観が意匠的に格段に向上する効果がある。
【図面の簡単な説明】
【図１】
本発明による断熱複合サッシ窓枠の屋内側から見た正面図である。
【図２】
同窓枠を用いた断熱複合サッシを取付けた窓の縦断面図である。
【図３】
同じく横断面図である。
【図４】
同サッシに化粧枠体を取付けた状態における破断斜視図である。
【図５】
従来の半外付けタイプの窓用断熱複合サッシにおける窓枠の縦断面図である。
【図６】
同じく横断面図である。
【図７】
従来の半外付けタイプのテラス用断熱複合サッシにおける窓枠の下枠部のみの縦断面図である。
【図８】
従来の外付けタイプの断熱複合サッシにおける窓タイプの窓枠の下枠部のみの縦断面図である。
【符号の説明】
ＷＦ   窓枠
Ｈ     上枠
ｈｗ   上枠の樹脂枠の屈曲壁
ｈｗ１ 第一の帯状壁
ｈｗ２ 第二の帯状壁
Ｓ     下枠
ｓｍｗ 下枠の金属枠の屈曲壁
ｓｍ１ 第一の帯状壁
ｓｍ２ 第二の帯状壁
ｓｐｗ 下枠の樹脂枠の屈曲壁
ｓｐ   第一の帯状壁
ｓｐ   第二の帯状壁
Ｊｌ，Ｊ２ 縦枠
ｊｍｗ 縦枠の金属枠の屈曲壁
ｊｍ１ 第一の帯状壁
ｊｍ２ 第二の帯状壁
ｊｐｗ 縦枠の樹脂枠の屈曲壁
ｊｐ１ 第一の帯状壁
ｊｐ２ 第二の帯状壁
ＤＦ，１７ 窓開口屋内側内周面仕上げ材
ＤＦ   化粧枠体
１７   天板
【手続補正２】
【補正対象書類名】図面
【補正対象項目名】図５
【補正方法】変更
【補正の内容】
【図５】
2000145299.tif 000001
【手続補正３】
【補正対象書類名】図面
【補正対象項目名】図６
【補正方法】変更
【補正の内容】
【図６】
2000145299.tif 000002
【手続補正４】
【補正対象書類名】図面
【補正対象項目名】図７
【補正方法】変更
【補正の内容】
【図７】
2000145299.tif 000003
【手続補正５】
【補正対象書類名】図面
【補正対象項目名】図８
【補正方法】変更
【補正の内容】
【図８】
2000145299.tif 000004
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】